(57)【要約】【課題】ロケット弾を密封して保管することができ、発射筒の肉厚を維持し点火時の反応ガスの圧力により発射筒が膨らんでも、点火直後に前後のカバーを短時間に確実に離脱させることができるロケット保管用コンテナを提供する。【解決手段】ロケット弾３の軸線に沿って前端から後端まで直線状に延びる内部空間６を有する発射筒２と、発射筒２の前端開口を閉じる前カバーと、発射筒２の後端開口を閉じ、発射筒内のガス圧で離脱する後カバー１４Ｂと、を備える。前カバー及び後カバー１４Ｂは、発射筒２の前端内面及び後端内面７ｂに密着する筒形シール面１５を有する。筒形シール面１５は、前端内面及び後端内面７ｂとの間を気密にシールする。前カバー又は後カバー１４Ｂは、筒形シール面１５を有する円筒形部分１６ａと、その軸方向内端部を塞ぐ円板部分１６ｂとを有する。【選択図】図４
2018185056.tif 000002
【特許請求の範囲】
【請求項１】
ロケット弾の軸線に沿って前端から後端まで直線状に延びる内部空間を有する発射筒と、
前記発射筒の前端開口を閉じる前カバーと、
前記発射筒の後端開口を閉じ、前記ガス圧で離脱する後カバーと、を備え、
前記前カバー及び前記後カバーは、前記発射筒の前端内面及び後端内面に密着する筒形シール面を有し、
前記筒形シール面は、前記前端内面及び前記後端内面との間を気密にシールする、ロケット保管用コンテナ。
【請求項２】
前記筒形シール面と前記前端内面又は前記後端内面との間を気密に接着する内面接着材を有する、請求項１に記載のロケット保管用コンテナ。
【請求項３】
前記前カバー又は前記後カバーは、前記筒形シール面を有する円筒形部分と、その軸方向内端部を塞ぐ円板部分とを有する、請求項１に記載のロケット保管用コンテナ。
【請求項４】
前記前カバー又は前記後カバーは、前記発射筒の前端面又は後端面に密着するフランジ部を有し、
前記フランジ部は、前記前端面又は前記後端面との間を気密にシールする環状シール面を有する、請求項３に記載のロケット保管用コンテナ。
【請求項５】
前記フランジ部と前記前端面又は前記後端面との間との間を気密に接着する端面接着材を有する、請求項４に記載のロケット保管用コンテナ。
【請求項６】
前記円筒形部分又は前記円筒形部分に密着する前記前端内面又は前記後端内面は、その軸方向内端部にガス導入溝を有する、請求項３又は４に記載のロケット保管用コンテナ。
【請求項７】
前記前カバー又は前記後カバーは、前記円板部分の外面に固定された取外し用の把持部を有する、請求項３又は４に記載のロケット保管用コンテナ。
【発明の詳細な説明】
【技術分野】
【０００１】
本発明は、多連装ロケットシステムに係り、更に詳しくは、ロケット保管用コンテナに関する。
【背景技術】
【０００２】
多連装ロケットシステムは、車体後部に旋回式発射機（ランチャー）を備え、複数の発射筒を内蔵したロケット保管用コンテナを用いる。ロケット弾は発射筒内に収容され、使用時に点火され発射する。
かかる多連装ロケットシステムは、例えば、非特許文献１に開示されている。
【０００３】
多連装ロケットシステムでは、ロケット弾を発射筒内に長期間保管し、かつ使用時には短時間でロケット弾を発射する必要がある。
そのため、保管中のロケット弾の防滴、防塵のためロケット弾を円筒形の発射筒内に収容し、発射筒の前後にカバーを接着し、ロケット弾を密封して保管する。従って、発射筒は、ロケット弾を長期間保管する保管容器としても機能する。
【０００４】
多連装ロケットシステムの使用時には、発射筒の前後にカバーを接着したままロケット弾に点火する。ロケット弾を点火すると、燃焼ガスの圧力が前後のカバーに作用し、前後のカバーの接着部が剥離して発射筒から離脱する。
従って、多連装ロケットシステムでは、前後のカバーを外すことなく短時間でロケット弾を発射することができる。
【先行技術文献】
【非特許文献】
【０００５】
【非特許文献１】“多連装ロケットシステム”［ｏｎｌｉｎｅ］、［平成２９年４月１０日検索］、インターネット＜ＵＲＬ：ｈｔｔｐｓ：／／ｗｗｗ．ｉｈｉ．ｃｏ．ｊｐ／ｉａ／ｐｒｏｄｕｃｔ／ｄｅｆｅｎｓｅ＿０１．ｈｔｍｌ＞
【発明の概要】
【発明が解決しようとする課題】
【０００６】
図１は、従来のロケット保管用コンテナ１の構成図である。
この図に示すように、従来のロケット保管用コンテナ１（以下、単に「コンテナ１」と呼ぶ）は、複数（例えば、２段×３列）の発射筒２を収容した箱型容器である。
【０００７】
図１において、発射筒２の前カバー４Ａ及び後カバー４Ｂは、円筒形部分５ａと円板部分５ｂが一体成型された筒型容器形状であり、円筒形部分５ａの内面が発射筒２の端部外面を覆うようになっている。
以下、前カバー４Ａと後カバー４Ｂを区別が必要な場合を除き、単に「カバー４」と呼ぶ。
保管時のロケット弾３の防滴、防塵のため、カバー４の円筒形部分５ａの内面と発射筒２の端部外面との間に接着材が塗布され、その間を接着している。
【０００８】
図２は、図１のＡ部拡大図であり、ロケット弾３の着火時を模式的に示している。
ロケット弾３の着火は、カバー４（前カバー４Ａ及び後カバー４Ｂ）を発射筒２の前後に接着したまま行われる。
ロケット弾３を点火すると、ロケット弾３の後方から反応ガスＧが噴射され、発射筒２の内圧が急上昇する。この圧力は、カバー４の円板部分５ｂに外向きに作用すると共に、図に実線の矢印で示すように反応ガスＧが発射筒２の端部外側に回り込んで接着部が剥離し、カバー４を発射筒２から完全に分離して外方へ離脱させる。
【０００９】
しかし、反応ガスＧの圧力により発射筒２が膨らむため、発射筒２の端部外側への反応ガスＧの回り込みが遅れ、カバー４が離脱するタイミングが遅れる可能性がある。
後カバー４Ｂの離脱が遅れた場合、高温の反応ガスＧが発射筒２の後部から抜けずに内部で逆流してロケット弾３を損傷させる可能性がある。
また、前カバー４Ａの離脱が遅れた場合、ロケット弾３が前カバー４Ａに当たり、ロケット弾３に損傷を与える可能性がある。
また、反応ガスＧの圧力により発射筒２が膨らむのを抑制するため、発射筒２の肉厚を大きくすると、コンテナ１の大きさと重さが増大し、多連装ロケットシステムの運用効率が低下する。
【００１０】
本発明は上述した問題点を解決するために創案されたものである。すなわち本発明の目的は、ロケット弾を密封して保管する保管機能とロケット弾を発射する発射機能の両方を有し、発射筒の肉厚を維持し点火時の反応ガスの圧力により発射筒が膨らんでも、点火直後に前後のカバーを短時間に確実に離脱させることができるロケット保管用コンテナを提供することにある。
【課題を解決するための手段】
【００１１】
本発明によれば、ロケット弾の軸線に沿って前端から後端まで直線状に延びる内部空間を有する発射筒と、
前記発射筒の前端開口を閉じる前カバーと、
前記発射筒の後端開口を閉じ、前記ガス圧で離脱する後カバーと、を備え、
前記前カバー及び前記後カバーは、前記発射筒の前端内面及び後端内面に密着する筒形シール面を有し、
前記筒形シール面は、前記前端内面及び前記後端内面との間を気密にシールする、ロケット保管用コンテナが提供される。
【発明の効果】
【００１２】
上記本発明の構成によれば、前カバー及び後カバーの筒形シール面が、発射筒の前端内面及び後端内面との間を気密にシールするので、ロケット弾を密封して保管する保管機能を有する。
【００１３】
また、筒形シール面は、発射筒の前端内面及び後端内面に密着しているので、点火時の反応ガスの圧力により発射筒が膨らむと、前端内面又は後端内面が筒形シール面から離れる方向に圧力が作用する。
【００１４】
従って、本発明によれば、ロケット弾を密封して保管する保管機能とロケット弾を発射する発射機能の両方を有し、発射筒の肉厚を維持し点火時の反応ガスの圧力により発射筒が膨らんでも、点火直後に前後のカバーを短時間に確実に離脱させることができる。
【図面の簡単な説明】
【００１５】
【図１】従来のロケット保管用コンテナの構成図である。
【図２】図１のＡ部拡大図である。
【図３】本発明によるロケット保管用コンテナの実施形態図である。
【図４】図３のＢ部拡大図である。
【図５】カバーの別の実施形態を示す図４と同様の拡大図である。
【発明を実施するための形態】
【００１６】
以下、本発明の実施形態を添付図面に基づいて詳細に説明する。なお、各図において共通する部分には同一の符号を付し、重複した説明を省略する。
【００１７】
図３は、本発明によるロケット保管用コンテナ１０の実施形態図である。
この図に示すように、本発明によるロケット保管用コンテナ１０（以下、単に「コンテナ１０」と呼ぶ）の本体１２は、複数（例えば、２段×３列）の発射筒２を収容した箱型容器である。軽量化のため、本体１２は例えばアルミニウム製であり、発射筒２は例えばグラスファイバ製である。
【００１８】
発射筒２を収容したコンテナ１０は、一体として図示しない旋回式発射機（ランチャー）に取付け、発射筒２に収容されたロケット弾３をそれぞれ発射することができる。また、全てのロケット弾３を発射した後、コンテナ１０を入れ替えて再びロケット弾３を発射可能となる。
【００１９】
図３において、ロケット保管用コンテナ１０は、発射筒２、前カバー１４Ａ、及び後カバー１４Ｂを備える。
【００２０】
発射筒２は、ロケット弾３の軸線に沿って前端から後端まで直線状に延びる内部空間６を有する。
【００２１】
前カバー１４Ａは、発射筒２の前端開口を閉じる。前カバー１４Ａは、発射筒内のガス圧で離脱しても、ロケット弾で突き破ってもよい。
後カバー１４Ｂは、発射筒２の後端開口を閉じ、発射筒内のガス圧で離脱する。
【００２２】
前カバー１４Ａは、例えばグラスファイバ製であり、ロケット弾３が前カバー１４Ａに当接した場合でも、ロケット弾３の損傷を防止する。
また、後カバー１４Ｂは、例えば金属製である。
【００２３】
以下、前カバー１４Ａと後カバー１４Ｂを区別が必要な場合を除き、単に「カバー１４」と呼ぶ。
【００２４】
図４は、図３のＢ部拡大図である。
【００２５】
図３と図４において、カバー１４（前カバー１４Ａと後カバー１４Ｂ）は、発射筒２の前端内面７ａ及び後端内面７ｂに密着する筒形シール面１５を有する。
筒形シール面１５は、発射筒２の前端内面７ａ及び後端内面７ｂとの間を気密にシールする。
【００２６】
また、カバー１４は、筒形シール面１５を有する円筒形部分１６ａと、その軸方向内端部を塞ぐ円板部分１６ｂとを有する。すなわち、カバー１４は、円筒形部分１６ａと円板部分１６ｂが一体成型された筒型容器形状であり、円筒形部分１６ａの外面（筒形シール面１５）が発射筒２の端部内面に密着するようになっている。
【００２７】
さらに、保管時のロケット弾３の防滴、防塵のため、内面接着材１９ａを用い、筒形シール面１５と前端内面７ａ又は後端内面７ｂとの間を気密に接着することが好ましい。
【００２８】
上述した本発明の実施形態によれば、前カバー１４Ａ及び後カバー１４Ｂの筒形シール面１５が、発射筒２の前端内面７ａ及び後端内面７ｂとの間を気密にシールするので、ロケット弾３を密封して保管することができる。
さらに、内面接着材１９ａを用いることにより、ロケット弾３の保管時の防滴性能と防塵性能を更に高めることができる。
【００２９】
また、筒形シール面１５は、発射筒２の前端内面７ａ及び後端内面７ｂに密着しているので、点火時の反応ガスＧの圧力により発射筒２が膨らむ（図に破線で示す）と、前端内面７ａ又は後端内面７ｂが筒形シール面１５から離れる方向に圧力が作用する。
【００３０】
さらに、図に破線で示すように、カバー１４の円板部分１６ｂは外方に膨らみ、円筒形部分１６ａの内端は内側に変形する。
【００３１】
従って、発射筒２の肉厚を維持し点火時の反応ガスＧの圧力により発射筒２が膨らんでも、反応ガスＧが容易に前端内面７ａ及び後端内面７ｂに侵入して、点火直後に前後のカバー１４を短時間に確実に離脱させることができる。
【００３２】
図４において、円筒形部分１６ａは、ロケット弾３を収容する内部空間６と連通し、カバー１４の外部まで延びていないガス導入溝１７を有する。
この構成により、ガス導入溝１７を介して点火時の反応ガスＧを発射筒２の前端内面７ａ及び後端内面７ｂにスムーズに導入することができる。
なお、ガス導入溝１７は、円筒形部分１６ａに密着する前端内面７ａ又は後端内面７ｂに設けてもよい。
【００３３】
また、ガス導入溝１７の代りに、円筒形部分１６ａの内側に切欠きを形成し、この切欠きから反応ガスＧを前端内面７ａ及び後端内面７ｂに導入してもよい。
上述したガス導入溝１７（又は切欠き）を設けることにより、反応ガスＧが容易に前端内面７ａ及び後端内面７ｂに侵入して、筒形シール面１５をスムーズに剥がすことができる。
【００３４】
図５は、カバー１４の別の実施形態を示す図４と同様の拡大図である。
この図において、カバー１４（前カバー１４Ａ又は後カバー１４Ｂ）は、発射筒２の前端面８ａ又は後端面８ｂに密着するフランジ部１６ｃを有する。
フランジ部１６ｃは、発射筒２の前端面８ａ又は後端面８ｂとの間を気密にシールする環状シール面２０を有する。
【００３５】
さらに、保管時のロケット弾３の防滴、防塵のため、端面接着材１９ｂを用い、フランジ部１６ｃと発射筒２の前端面８ａ又は後端面８ｂとの間を気密に接着することが好ましい。
その他の構成は、図４と同様である。
【００３６】
上述した内面接着材１９ａと端面接着材１９ｂは、同一であっても相違してもよい。
また、内面接着材１９ａと端面接着材１９ｂの一方を省略してもよい。
【００３７】
上述した図５の構成により、カバー１４を前端面８ａ又は後端面８ｂに位置決めすることができる。
また、内面接着材１９ａと端面接着材１９ｂの両方を用いることにより、ロケット弾３をより確実に密封して保管することができる。
さらに、図に破線で示すように、反応ガスＧによりカバー１４の円板部分１６ｂは外方に膨らみ、円筒形部分１６ａの内端は内側に変形する。
従って、反応ガスＧが容易に前端内面７ａ及び後端内面７ｂに侵入して、点火直後に前後のカバー１４を短時間に確実に離脱させることができる。
【００３８】
図５において、カバー１４（前カバー１４Ａ又は後カバー１４Ｂ）は、さらに、円板部分１６ｂの外面に固定された取外し用の把持部１８を有する。
この構成により、カバー１４の取り外しを容易にできる。
【００３９】
上述したように、本発明の実施形態では、カバー１４が発射筒２の内側に密着してシールしているため、反応ガスＧがカバー１４の筒形シール面１５に直接侵入し、筒形シール面１５を剥離しやすくなる。
また、反応ガスＧの圧力により発射筒２が膨らみカバー１４から離れる方向に圧力が作用するので、カバー１４の筒形シール面１５がより剥離しやすくなり、発射筒２から短時間に確実に離脱する。
【００４０】
なお本発明は上述した実施形態に限定されず、本発明の要旨を逸脱しない範囲で種々変更を加え得ることは勿論である。例えば、本発明は、複数のロケット弾を有する多連装ロケットシステム以外にも適用可能である。
【符号の説明】
【００４１】
Ｇ  反応ガス、１  ロケット保管用コンテナ（コンテナ）、２  発射筒、
３  ロケット弾、４  カバー、４Ａ  前カバー、４Ｂ  後カバー、
５ａ  円筒形部分、５ｂ  円板部分、７ａ  前端内面、７ｂ  後端内面、
８ａ  前端面、８ｂ  後端面、１０  ロケット保管用コンテナ（コンテナ）、
１２  本体、１４  カバー、１４Ａ  前カバー、１４Ｂ  後カバー、
１５  筒形シール面、１６ａ  円筒形部分、１６ｂ  円板部分、
１７  ガス導入溝、１８  把持部、１９ａ  内面接着材、
１９ｂ  端面接着材、２０  環状シール面
【図１】
2018185056.tif 000003
【図２】
2018185056.tif 000004
【図３】
2018185056.tif 000005
【図４】
2018185056.tif 000006
【図５】
2018185056.tif 000007